(57)【要約】【課題】  変圧器の漏油が発生した場合、漏油部位の大きさ、形状に関わらず漏油を回収する。【解決手段】  変圧器の油配管３におけるフランジ４の連結部全体を網状凧糸１で被覆し、網状凧糸１の下端に凧糸５を接続し、凧糸５を網状凧糸１の下方で上に向かって開口した飲料用ペットボトル７の口部６に挿入する。漏油８は、フランジ４の連結部全体に巻き付けられた網状凧糸１の毛細管現象により吸着され、網状凧糸１の下部に集結する。この漏油８は、網状凧糸１から垂らされた凧糸５を伝って下に移動し、飲料用ペットボトル７の口部６を通って飲料用ペットボトル７内に溜まる。【選択図】  図１
2011119337.tif 000002
【特許請求の範囲】
【請求項１】
変圧器の油配管における漏油部位全体を繊維材で被覆し、前記繊維材の下端に糸を接続し、前記糸を前記繊維材の下方で上に向かって開口した回収容器の口部に挿入することを特徴とする漏油回収方法。
【請求項２】
上部に皿形を有し当該皿形の底部に油道穴を有するキッャプを前記口部に取付け、前記油道穴に前記糸を挿入し、前記口部のねじ部に空気抜き穴を設け、前記油道穴と当該油道穴に挿入された前記糸とが絶縁油の油膜ができる程度の隙間を有することを特徴とする請求項１に記載の漏油回収方法。
【請求項３】
前記回収容器が飲料用ペットボトルであることを特徴とする請求項１または２に記載の漏油回収方法。
【発明の詳細な説明】
【技術分野】
【０００１】
本発明は、発電所、変電所等に設置された変圧器から漏れた絶縁油を、地面等の外界に流出させることなく回収するための、漏油回収方法に係るものである。
【背景技術】
【０００２】
図４に示すように、変圧器には、変圧器本体１８に充填された絶縁油を冷却するための放熱器１２、油温による絶縁油の体積変化量を吸収するコンサベータ１４などの補機が付属しており、これらは油配管３により接続されている。この油配管３は、パッキン等の密閉部材を介し連結ボルト２（図１参照）等で固定するフランジ４や、開閉バルブ１１などを有するが、このフランジ４の連結部や開閉バルブ１１などから漏油８が生ずる。これを防止するため、従来はフランジ４の連結部外周に金属製の帯を巻いたり、フランジ４の連結部外周を塩化ビニール等でコーティングする方法が用いられているが、これらの方法は高価な材料や作業の手間が掛かるものであった。さらに、樹脂コーティングの場合は、漏れた絶縁油や雨風、直射日光等が原因で樹脂が劣化し易いため、膨大な手間と費用を掛けながら油漏れ防止効果も確実なものではなかった。
【０００３】
この問題を解決するための従来技術としては、「変圧器の油流出防出カバー」(特許文献１)がある。これは、フランジ４の連結部からの油漏れを無理に防止せず、フランジ４の連結部外周を被覆した耐油性被覆体の下端に絶縁油の回収容器を接続し、漏れ出した絶縁油を回収しようというものである。
【先行技術文献】
【特許文献】
【０００４】
【特許文献１】特開２００１−３３８８１４号公報
【発明の概要】
【発明が解決しようとする課題】
【０００５】
しかし、特許文献１に記載の「変圧器の油流出防出カバー」では、種々のフランジ４の形状に合わせてカバーを製造するため、製造したカバーと異なる大きさ、形状のフランジ４や開閉バルブ１１に使用できなかった。また、わざわざ専用品を製造する必要があり、コストおよび時間がかかった。
【０００６】
したがって、本発明の目的は、漏油部位の大きさ、形状に関わらず使用できる漏油回収方法を提供することにある。
【課題を解決するための手段】
【０００７】
本発明にかかる漏油回収方法の代表的な構成は、変圧器の油配管における漏油部位全体を繊維材で被覆し、前記繊維材の下端に糸を接続し、前記糸を前記繊維材の下方で上に向かって開口した回収容器の口部に挿入することを特徴とする。
【０００８】
前記口部に螺着されたキャップの上部が皿形を有し、前記皿形の底部に開けられた油道穴と前記油道穴に挿入された前記糸とが、絶縁油の油膜ができる程度の隙間を有し、前記口部のねじ部が空気抜き穴を有してもよい。
【０００９】
前記回収容器が飲料用ペットボトルでもよい。
【発明の効果】
【００１０】
本発明によれば、漏油部位全体を繊維材で被覆することにより、漏油部位の大きさ、形状に関わらず漏油８を回収することができる。
【図面の簡単な説明】
【００１１】
【図１】第１実施形態に係る漏油回収方法の概要図である。
【図２】第２実施形態に係る漏油回収方法の概要図である。
【図３】第２実施形態に係るキャップと飲料用ペットボトル口の詳細図である。
【図４】油漏れの生じた変圧器の外観図である。
【発明を実施するための形態】
【００１２】
以下、本実施形態を図面に基づき説明する。
【００１３】
［第１実施形態］
図１は、第１実施形態に係る漏油回収方法の概要図である。図１に示す油配管３では、
漏油部位である二つのフランジ４の連結部が連結ボルト２で固定されている。この油配管３において、フランジ４の連結部全体（外周）は繊維材の例としての網状の凧糸（以下「網状凧糸」という。）で被覆されている。回収容器の例としての飲料用ペットボトル７は網状凧糸１の下方で上に向かって開口するように設置されている。網状凧糸１の下端から垂らされた糸の例としての凧糸５が飲料用ペットボトル７の口部６に挿入されている。
【００１４】
なお、繊維材としては凧糸５に限られず、柔軟性があり毛細管現象を有する素材であればよい。例えば天然繊維（綿、麻など）、合成繊維（ポリエステル、ナイロン（登録商標）、ビニロンなど）などからできた糸、網、布などであってもよい。また、回収容器としては飲料用ペットボトル７に限られず、例えば瓶、缶、ビニール袋などであってもよい。
【００１５】
次に、本発明の第１実施形態の作用について説明する。
【００１６】
図１に示すように、漏油８は、フランジ４の外周に巻き付けられた網状凧糸１の毛細管現象により吸着され、網状凧糸１下部に集結する。この漏油８は、網状凧糸１から垂らされた凧糸５を伝って下に移動し、飲料用ペットボトル７の口部６を通って飲料用ペットボトル７内に溜まる。
【００１７】
このように、本実施形態に係る網状凧糸１を用いると、網状凧糸１は柔軟性があり、フランジ４や開閉バルブ１１などの大きさ、形状に関わらず使用できる。網状凧糸１には凧糸５と凧糸５との間に隙間があるため、この隙間よりフランジ４からの漏油状況を視認できる。漏油８が網状凧糸１により吸着されるため、油汚れが網状凧糸１より外に拡大しない。日用品である凧糸５を利用しており、専用品を特別に購入する必要がなく低廉で済む。また、飲料用ペットボトル７を使うことで入手容易であり、緊急時の対応や再使用が可能である。
【００１８】
［第２実施形態］
図２は、第２実施形態に係る漏油回収方法の概要図、図３は、第２実施形態に係るキャップと容器口の詳細図である。図２、３に示すキャップ１３は飲料用ペットボトル７の口部６に螺着されている。キャップ１３の上部は皿形をした油受け皿１６となっており、油受け皿１６の底部には飲料用ペットボトル内に連通する直径約２．０ｍｍの油道穴１７が開けられている。油道穴１７には網状凧糸１から垂らされた直径約１．０ｍｍの凧糸５が挿入されている。飲料用ペットボトル７の口部６のねじ部１９には飲料用ペットボトル内と外気とを連通する空気抜き穴２０が開けられている。飲料用ペットボトル７にはあらかじめ目盛り１５を付ける。
【００１９】
なお、油道穴１７、凧糸５の直径は約２．０ｍｍ、約１．０ｍｍに限られず、油道穴１７とこれに挿入された凧糸５が、絶縁油の油膜９ができる程度の隙間を有すればよい。また、回収容器としては飲料用ペットボトル７に限られず、キャップ１３を取付けることができればよい。例えば瓶、缶、ビニール袋などであってもよい。
【００２０】
次に、第２実施形態の作用について説明する。
【００２１】
図３に示すキャップ１３は上部が油受け皿１６となっていることにより、絶縁油は油受け皿１６の底部に留まり外部へ流出するのを防ぐ。油道穴１７と凧糸５の隙間には表面張力により絶縁油の油膜９ができ、雨水１０を反発する。漏油８が飲料用ペットボトル７内に入ると同時に飲料用ペットボトル７内の空気は空気抜き穴２０より抜けるため、漏油８はなめらかに油道穴１７を通る。口部６のねじ部１９に開けられている空気抜き穴２０はキャップ１３の内側にあることから、キャップ１３を螺着した状態では空気抜き穴２０より雨水１０が浸入しない。飲料用ペットボトル７の目盛り１５により漏油量を計量できる。
【００２２】
このように、本実施形態に係るキャップ１３を用いると、絶縁油の油膜９と空気抜き穴２０により、雨水１０を混入させることなく漏油８のみを回収できる。絶縁油が外部へ流出しないので、環境汚染を防止できる。目盛り１５により漏油量の数値管理が容易に出来る。キャップ１３のサイズが共通ならば、漏油８で満杯になった飲料用ペットボトル７を空の飲料用ペットボトル７と交換できる。
【００２３】
［第３実施形態］
複数の漏油部位の網状凧糸１から垂らされた凧糸５を、一つの飲料用ペットボトル７の口部６または油道穴１７に挿入する事もできる。これにより、複数の漏油部位から漏れる絶縁油を、一つの飲料用ペットボトル７に回収するような使い方も可能である。
【実施例】
【００２４】
実際の変圧器において、第２実施形態の構成によりフランジ４の連結部で発生した漏油部位の真下に、飲料用ペットボトル７を１３日間設置した。その結果、雨水１０を混入させることなく漏油８をすべて（３５０ｃｃ）回収できた。
【符号の説明】
【００２５】
１  網状凧糸（繊維材）
２  連結ボルト
３  油配管
４  フランジ
５  凧糸（糸）
６  口部
７  飲料用ペットボトル（回収容器）
８  漏油
９  油膜
１０  雨水
１１  開閉バルブ
１２  放熱器
１３  キャップ
１４  コンサベータ
１５  目盛り
１６  油受け皿
１７  油道穴
１８  変圧器本体
１９  ねじ部
２０  空気抜き穴
【図１】
2011119337.tif 000003
【図２】
2011119337.tif 000004
【図３】
2011119337.tif 000005
【図４】
2011119337.tif 000006